(57)【要約】【課題】親展印刷を行う場合、利用者は必ず画像処理装置の前にいるということを利用して、利用者がパスワード等の識別情報を入力しなくても、簡単に親展印刷を開始できるようにする。【解決手段】利用者が親展印刷を指示すると、情報処理装置から画像データが画像処理装置に送信される。記憶部４は、画像データを記憶する。利用者が画像処理装置の前に行って、記録シートの排出先に指定した排出トレイ１６を閉姿勢から開姿勢にする。トレイ検出器２１は、排出トレイ１６が開姿勢にあるのか閉姿勢にあるのかを検出する。トレイ検出器２１の検出信号に基づき、制御部７の許可部は、排出トレイの状態が変化したことを確認すると、印刷を許可する。親展印刷が行われ、記録シートが指定された排出トレイ１６に排出される。【選択図】図１
2008149572.tif 000002
【特許請求の範囲】
【請求項１】
入力された画像データを記憶する記憶部と、画像データを印刷して出力する処理部と、記憶されている画像データの印刷を許可する許可部とを備え、許可部は、印刷のために必要な特定部材が利用者により変化させられたことを確認したとき、印刷を許可することを特徴とする画像処理装置。
【請求項２】
特定部材は、記録シートを収容するトレイとされ、許可部は、トレイの状態が変化したか否かを確認することを特徴とする請求項１記載の画像処理装置。
【請求項３】
トレイは、印刷された記録シートを収容する排出トレイとされ、許可部は、排出トレイが記録シートを収容可能な開姿勢に変化したことを検出すると、印刷を許可することを特徴とする請求項２記載の画像処理装置。
【請求項４】
複数の排出トレイを備え、許可部は、指定された排出トレイの姿勢の変化を確認することを特徴とする請求項３記載の画像処理装置。
【請求項５】
排出トレイは、キャビネットに収納された閉姿勢とキャビネットから突出した開姿勢との間を変化し、排出トレイは、自動的に開姿勢から閉姿勢に変化することを特徴とする請求項３または４記載の画像処理装置。
【請求項６】
排出トレイは、キャビネットに収納された閉姿勢とキャビネットから突出した開姿勢との間を変化し、印刷前に排出トレイが開姿勢にある場合、許可部は、排出トレイが開姿勢から一旦閉姿勢になり、再び開姿勢になったことを確認したときに、印刷を許可することを特徴とする請求項３記載の画像処理装置。
【請求項７】
トレイは、印刷のために供給される記録シートを収容する供給トレイとされ、許可部は、供給トレイが記録シートを収容可能な状態に変化したこと、あるいは供給トレイに記録シートが載置されたことを検出すると、印刷を許可することを特徴とする請求項２記載の画像処理装置。
【請求項８】
入力された画像データを記憶する記憶部に記憶されている画像データが指定されたとき、画像データの印刷を許可する許可部は、印刷のために必要な特定部材が利用者により変化させられたか否かを確認し、特定部材が変化したことを確認したとき、印刷を許可し、変化を確認できないとき、印刷を禁止することを特徴とする印刷方法。
【請求項９】
特定部材は、記録シートを収容するトレイとされ、指定された画像データの印刷用の記録シートを収容可能な状態にトレイが変化したとき、許可部は、印刷を許可することを特徴とする請求項８記載の印刷方法。
【発明の詳細な説明】
【技術分野】
【０００１】
本発明は、画像データの機密性を保てる親展印刷の可能な画像処理装置に関する。
【背景技術】
【０００２】
画像処理装置とパソコン等の情報処理装置とをＬＡＮ等のネットワークで接続することにより、画像処理システムが形成される。画像処理システムでは、情報処理装置において作成した画像データが、画像処理装置に送信され、画像処理装置が画像データを記録シートに印刷して出力する。
【０００３】
画像処理装置と情報処理装置とは、通常離れた場所にある。利用者が情報処理装置から画像データの印刷を指示すると、指示した利用者が画像処理装置の前にいなくても、画像処理装置は印刷を開始し、記録シートを出力する。利用者が画像処理装置の前にいないため、画像処理装置から出力された記録シートを第３者に見られるおそれがあり、画像データの機密性を保持できない。
【０００４】
このようなことを防ぐために、従来から親展印刷が行われている。利用者が親展印刷を指示して、情報処理装置から画像処理装置に画像データを送信すると、画像処理装置は、画像データをハードディスク装置等の記憶部に一旦記憶する。利用者が、画像処理装置まで行って、パスワード等の識別情報を入力する。画像処理装置は、この識別情報を認証すると、画像データの印刷を行う。
【０００５】
また、特許文献１に記載された画像処理装置では、ロック可能な排出トレイを備え、この排出トレイに、親展印刷によって出力された記録シートを収容する。親展印刷を指示した利用者が識別情報を入力すると、ロックを解除して、記録シートを取り出し可能としている。
【特許文献１】特開２００１−１２１７８１号公報
【発明の開示】
【発明が解決しようとする課題】
【０００６】
上記のように、親展印刷の場合、利用者は、画像処理装置の前に行って、識別情報を入力することにより、印刷された記録シートを手にすることができる。しかし、識別情報を入力するための操作は、印刷には直接関係しない操作である。利用者にとっては、負担が増大するとともに、印刷を開始するまでに時間のロスが生じる。特に、急いでいる場合には、入力ミスが増えるおそれがあり、より一層利用者に負担をかけることになる。
【０００７】
本発明は、上記に鑑み、親展印刷を行う場合、利用者は必ず画像処理装置の前にいるということを利用して、簡単に親展印刷を開始できる画像処理装置の提供を目的とする。
【課題を解決するための手段】
【０００８】
本発明は、入力された画像データを記憶する記憶部と、画像データを印刷して出力する処理部と、記憶されている画像データの印刷を許可する許可部とを備え、許可部は、印刷のために必要な特定部材が利用者により変化させられたことを確認したとき、印刷を許可するものである。
【０００９】
印刷を指示した利用者は、画像処理装置の前に行き、そして特定部材の状態を変化させる。特定部材が変化することにより、印刷可能となる。許可部は、特定部材が変化したことを確認すると、印刷を許可する。処理部は、記憶部に記憶されている画像データを読み出して、印刷する。このように、印刷を行えるようにするための利用者による動作が親展印刷を開始するトリガとなる。利用者は、親展印刷のために識別情報を入力しなくてよい。
【００１０】
特定部材は、記録シートを収容するトレイとされる。印刷のためには、記録シートを供給したり、印刷された記録シートを排出しなければならない。そのため、印刷のために供給される記録シートを収容する供給トレイや印刷された記録シートを収容する排出トレイが必要となる。
【００１１】
利用者は、供給トレイから記録シートを供給可能な状態にする、あるいは排出トレイに記録シートを排出可能な状態にする。許可部は、このようなトレイの状態が変化したか否かを確認する。そして、トレイの状態が変化したことを確認すると、利用者を認証できたとして、印刷を許可する。
【００１２】
特定部材が排出トレイの場合、許可部は、排出トレイが記録シートを収容可能な開姿勢に変化したことを検出すると、印刷を許可する。排出トレイが開姿勢になると、記録シートを排出可能となる。利用者は排出トレイを閉姿勢から開姿勢にすると、印刷が許可される。
【００１３】
複数の排出トレイの場合、許可部は、指定された排出トレイの姿勢の変化を確認する。親展印刷を指示するとき、排出先の排出トレイが指定される。利用者はこの排出トレイを知っているので、指定された排出トレイを閉姿勢から開姿勢にする。許可部は、指定された排出トレイの状態が変化したことを確認して、印刷を許可する。
【００１４】
排出トレイは、キャビネットに収納された閉姿勢とキャビネットから突出した開姿勢との間を変化する。そこで、排出トレイは、自動的に開姿勢から閉姿勢に変化するようにする。印刷終了後、排出トレイは自動的にキャビネットに収納され、邪魔にならない。
【００１５】
なお、印刷前に排出トレイが開姿勢にある場合、許可部は、排出トレイが開姿勢から一旦閉姿勢になり、再び開姿勢になったことを確認したときに、印刷を許可する。利用者は、認証されるためには、排出トレイの状態を変化させなければならない。そのため、排出トレイが排出可能な状態にあっても、利用者は上記のような一連の動作を行う。
【００１６】
特定部材が供給トレイの場合、許可部は、供給トレイが記録シートを収容可能な状態に変化したこと、あるいは供給トレイに記録シートが載置されたことを検出すると、印刷を許可する。同様に、印刷を行えるようにするための利用者の動作が親展印刷を開始するトリガとなり、印刷が行われる。
【００１７】
親展印刷の印刷方法として、入力された画像データを記憶する記憶部に記憶されている画像データが指定されたとき、許可部は、印刷のために必要な特定部材が利用者により変化させられたか否かを確認し、特定部材が変化したことを確認したとき、印刷を許可し、変化を確認できないとき、印刷を禁止する。なお、特定部材は、記録シートを収容するトレイとされ、指定された画像データの印刷用の記録シートを収容可能な状態にトレイが変化したとき、許可部は、印刷を許可する。
【発明の効果】
【００１８】
本発明によると、親展印刷を指示した利用者は画像処理装置の前にいるので、印刷のために必要な排出トレイ等の特定部材を動作させて、特定部材の状態を変化させることができる。この変化を確認することにより、利用者を認証できる。したがって、利用者は印刷するために必要な操作をすることにより、簡単に親展印刷を開始させることができ、利用者は識別情報を入力する手間を省け、利用者の負担を軽減できる。
【発明を実施するための最良の形態】
【００１９】
本実施形態の画像処理装置を図１に示す。本画像処理装置は、コピーモード、プリントモード、スキャナモードおよびファクシミリモードを実行する複合機であり、キャビネット１に、原稿を読み取って画像データを入力する画像読取部２と、画像データを処理して印刷する画像形成部３と、画像データを記憶する記憶部４と、外部装置と通信する通信部５と、入力操作のための操作パネル６と、処理部を制御して、モードに応じた画像データの処理を実行する制御部７とを備えている。なお、処理部は、入力された画像データを出力するために処理するものであり、画像形成部３、記憶部４および通信部５とされる。
【００２０】
図２に示すように、画像読取部２は、キャビネット１の上方に配置され、スキャナ部１０と、原稿自動搬送部１１とを備えている。スキャナ部１０の原稿台の上面に原稿カバー１２が開閉自在に設けられ、原稿カバー１２に、原稿自動搬送部１１が一体的に搭載される。原稿自動搬送部１１は、原稿の画像データを読み取るために原稿を自動的に搬送する。
【００２１】
原稿の画像が読み取られると、画像読取部２から画像データが制御部７に出力される。制御部７は、画像データ処理部を有しており、画像データ処理部により、画像データに各種の画像処理を施す。この画像データが画像形成部３に出力される。
【００２２】
画像形成部３は、入力された画像データに基づいて、記録シートにカラー画像あるいは白黒画像を印刷する。そして、画像形成部３は、印刷用の記録シートを収容する供給トレイ１５と、印刷された記録シートを収容する排出トレイ１６とを備えている。記録シートを搬送する搬送装置が設けられ、搬送装置は、供給トレイ１５から記録シートを印刷のために画像形成部３に供給し、印刷された記録シートを搬送して、排出トレイ１６に排出する。
【００２３】
供給トレイ１５として、シートカセット１７および手差しトレイ１８がある。複数のシートカセット１７が、キャビネット１に着脱自在に設けられ、各シートカセット１７には、異なるサイズの記録シートあるいは材質の異なる記録シートが収容される。シートカセット１７の開閉を検出するカセット検出器１９が設けられ、カセット検出器１９は、シートカセット１７がキャビネット１に収納された閉姿勢にあるのか、キャビネット１から突出した開姿勢にあるかを検出する。また、シートカセット１７の記録シートの有無を検出するシート検出器２０が設けられている。
【００２４】
手差しトレイ１８は、キャブネット１に開閉自在に設けられ、キャビネット１から突出した開姿勢にあるとき、記録シートを載置可能である。手差しトレイ１８には、記録シートの有無を検出するシート検出器２０が設けられている。なお、手差しトレイ１８の開閉を検出する開閉検出器を設けてもよい。
【００２５】
排出トレイ１６は、図２、３に示すように、キャビネット１に開閉自在に設けられる。排出トレイ１６の開閉を検出するトレイ検出器２１が設けられ、トレイ検出器２１は、排出トレイ１６がキャビネット１に収納された閉姿勢にあるのか、キャビネット１から突出した開姿勢にあるかを検出する。キャビネット１の上面には、固定トレイ２２が設けられ、記録シートが排出トレイ１６および固定トレイ２２のいずれかに選択的に排出される。
【００２６】
なお、カセット検出器１９、シート検出器２０、トレイ検出器２１は、リミットスイッチ、光センサ等の一般的な検出器とされる。
【００２７】
操作パネル６は、スキャナ部１０に設けられ、操作部６０および表示部６１を有する。操作部６０は、各種の操作キーを備えている。表示部６１は、液晶ディスプレイからなり、タッチパネルとされる。表示部６１に表示される操作画面内にタッチキーが形成され、これらも操作キーとして機能する。
【００２８】
通信部５は、通信インターフェースを備え、通信インターフェースがＬＡＮ、ＷＡＮといったネットワークに接続される。ネットワークには、複数の外部装置が接続されている。外部装置としては、他の画像処理装置やパーソナルコンピュータ、サーバ等の情報処理装置とされる。ネットワークは、ルータから電話回線や光ファイバ等の通信回線を介してインターネットに接続される。通信部５は、外部装置とネットワークを通じて所定の通信プロトコルによって通信可能とされる。また、画像処理装置同士も通信可能とされる。なお、ネットワーク内での通信は有線でも無線でもよい。これらの画像処理装置および外部装置によって、画像処理システムが形成される。
【００２９】
また、通信部５は、モデム装置を備えている。モデム装置に電話回線が接続される。画像処理装置は、ファクシミリ通信を行える。なお、画像処理装置は、ネットワークを通じてインターネットファクシミリによるデータ通信も行える。さらに、通信部５は、通信端子や無線通信用の通信カードを備えている。通信端子には、ＵＳＢメモリ、ＩＣカード等の記憶媒体が接続され、通信部５は、記憶媒体との間でデータの送受信を行う。また、通信カードを通じて、携帯電話、ＰＤＡ等の通信端末と無線通信によるデータの送受信を行う。
【００３０】
記憶部４は、ハードディスク装置からなる。記憶部４は、画像読取部２から入力された画像データあるいは通信部５から入力された画像データを記憶する。なお、入力された画像データは、一旦ＤＲＡＭ等の画像メモリに保存され、画像処理や暗号化処理が施された後、画像メモリから記憶部４に転送される。また、記憶部４から画像データを読み出すとき、画像データは、画像処理や復号化処理され、画像メモリに保存される。その後、画像データは、実行される処理にしたがって、印刷、データ送信、ファクシミリ通信によって外部に出力される。
【００３１】
記憶部４は、管理テーブル４１を有し、管理テーブル４１には、画像処理装置の制御情報、設定情報、利用者の認証情報といった画像処理装置を動作させるために必要な情報が記憶される。これらの情報が作成、変更されると、管理テーブル４１の情報は更新される。なお、管理テーブル４１は、記憶部４とは別の不揮発性メモリに設けてもよい。
【００３２】
制御部７は、ＣＰＵ、ＲＯＭ、ＲＡＭを有するマイクロコンピュータからなり、ＣＰＵは、ＲＯＭに格納されている制御プログラムをＲＡＭに読み出して、制御プログラムを実行する。制御プログラムにしたがって、各部が動作する。
【００３３】
すなわち、画像読取部２あるいは通信部５から画像データの入力があると、操作部６０からの入力情報や外部装置から入力された画像データのヘッダ情報に含まれる処理情報に基づいて、プリントモード、コピーモード、スキャナモード、ファクシミリモードのいずれかのモードが実行される。また、制御プログラムには、ブラウザやメールソフトが含まれ、制御部７は、ＴＣＰ／ＩＰプロトコル等の通信プロトコルにより外部装置とデータ通信したり、電子メールの送受信を行う。
【００３４】
制御部７は、各モードを行うとき、入力された画像データを記憶部４に一時的に保存する。また、制御部７は、入力された画像データを記憶部４に保存して管理するファイリングモードを実行する。保存された画像データは、指示された処理にしたがって再出力される。
【００３５】
出力された画像データは、制御部７からの指示により、記憶部４から消去される。この消去に際して、画像データにランダムなデータを上書きすることによって、画像データを復元できないように無効化する。このように、無効化処理、さらには暗号化処理を行うことにより、画像データの不正使用を防止する。
【００３６】
情報処理装置では、制御部３０が、アプリケーションソフトを実行して、画像データを作成する。あるいは制御部３０が、外部装置とデータ通信を行って、画像データを読み込み、ハードディスク装置に保存する。このような画像データを印刷するとき、制御部３０は、プリンタドライバ３１を利用して、画像処理装置に対して印刷を指示する。
【００３７】
プリンタドライバ３１は、制御部３０から画像データを受け取り、画像データをＰＤＬ（Ｐａｇｅ  Ｄｅｓｃｒｉｐｔｉｏｎ  Ｌａｎｇｕａｇｅ）データに変換する。また、画像データを印刷するために設定された印刷条件を処理情報として生成する。そして、ＰＤＬデータおよび処理情報からなる印刷データを制御部３０に出力する。制御部３０は、印刷データを画像処理装置に送信する。
【００３８】
画像処理装置では、印刷データを受信すると、制御部７の画像データ処理部が、印刷データを解析し、ＰＤＬデータを処理情報に基づいて画像処理を行い、画像メモリにイメージデータを生成する。画像データ処理部は、イメージデータを画像形成部３に出力する。画像形成部３は、入力されたイメージデータに基づいて、画像を記録シートに印刷する。
【００３９】
本画像処理システムでは、親展印刷が行われる。利用者が親展印刷の指示を行うと、情報処理装置では、プリンタドライバ３１が親展印刷の実行を印刷条件に設定して、処理情報を生成する。画像処理装置では、情報処理装置から親展印刷の指示があると、入力された画像データを記憶部４に一旦記憶する。その後、利用者が記憶されている画像データを指定すると、その画像データの印刷が許可された場合に限り、印刷が開始される。
【００４０】
画像処理装置の制御部７は、親展印刷を許可する許可部を有している。許可部は、印刷のために必要な特定部材が利用者により変化されられたか否かを確認する。そして、特定部材の変化を確認したとき、印刷を許可し、特定部材の変化を確認できないとき、印刷を禁止する。
【００４１】
特定部材は、記録シートに関係する部材とされる。すなわち、排出トレイ１６とされる。排出トレイ１６は、利用者によって開姿勢と閉姿勢とに切り替えられる。トレイ検出器２１が排出トレイ１６の姿勢に応じて検出信号を出力すると、許可部は、検出信号に基づいて姿勢が変化したことを確認する。
【００４２】
印刷開始前に、排出トレイ１６が閉姿勢にあるとき、許可部は、排出トレイ１６が閉姿勢から開姿勢になったことを確認すると、親展印刷を許可する。また、印刷開始前に、排出トレイ１６が開姿勢にあるとき、許可部は、排出トレイ１６が開姿勢から閉姿勢になり、再度開姿勢になったことを確認すると、親展印刷を許可する。
【００４３】
親展印刷を行うときの画像処理装置の動作を図４にしたがって説明する。画像処理装置は、情報処理装置から画像データを受信する（Ｓ１）。制御部７は、入力された処理情報から親展印刷が指示されているかをチェックする（Ｓ２）。親展印刷が指示されていないとき、通常の印刷であるので、制御部７は、処理情報にしたがって画像処理を行い、画像形成部３は、処理された画像データを記録シートに印刷する（Ｓ６）。印刷された記録シートは、処理情報において指定された排出トレイ１６あるいは固定トレイ２２に排出される（Ｓ７）。
【００４４】
親展印刷が指示されているとき、制御部７は、画像データを記憶部４に記憶する（Ｓ３）。利用者は、画像処理装置の前に行き、操作部６０を操作する。制御部７は、記憶部４に記憶されている画像データを読み取り、画像データの一覧を表示する。利用者が親展印刷の画像データを指定すると、許可部は、排出トレイ１６の姿勢が変化したか否かを確認する。
【００４５】
利用者が排出トレイ１６を閉姿勢から開姿勢にすると、許可部は、トレイ検出器２１からの検出信号に基づいて、排出トレイ１６の姿勢が変化したことを確認する（Ｓ４）。ここで、情報処理装置において、親展印刷が指示されると、制御部３０は、記録シートの排出先を固定トレイ２２ではなく、排出トレイ１６に自動的に指定する。そのため、許可部は、処理情報に含まれる排出先をチェックし、排出先が排出トレイ１６であることを確認する（Ｓ５）。これらの確認結果に基づいて、許可部は、親展印刷を許可する。
【００４６】
親展印刷の画像データが記憶部４から読み出され、記録シートに印刷されて、排出トレイ１６に排出される（Ｓ６、７）。利用者は、すぐに印刷された記録シートを手に入れることができる。
【００４７】
指定された排出トレイ１６の姿勢の変化が検出できないとき、制御部７は、印刷できない旨の表示を行う。そして、一定時間経過したとき、指定された画像データを印刷するための処理を中止する。
【００４８】
このように、画像処理装置の前にいる利用者は、操作部６０を操作して、識別情報を入力する必要がない。利用者は、利用者しか知りえない情報である、閉じている排出トレイ１６を開けて、記録シートを排出できるようにするといった印刷のために必要な操作を行う。このような特有の操作が、識別情報による認証の代わりとなる。特有の操作が行われたことを確認することにより、親展印刷を指示した利用者であることを認証できる。したがって、画像処理装置の前にいる利用者は、通常の操作と変わらない操作を行うことにより、簡単に親展印刷を実行させることができる。
【００４９】
図５に示すように、画像処理装置が複数の排出トレイ１６を備えている。このとき、許可部は、指定された排出トレイ１６の姿勢の変化を確認する。情報処理装置において、利用者は、親展印刷を指示するときに、排出先の排出トレイ１６を指定する。プリンタドライバ３１は、指定された排出先を含む処理情報を生成する。
【００５０】
画像処理装置において、利用者は、指定した排出トレイ１６を閉姿勢から開姿勢にする。トレイ検出器２１は、変化のあった排出トレイ１６を検出する。許可部が、指定された排出トレイ１６の姿勢が変化させられたことを確認すると、親展印刷が実行される。
【００５１】
また、図６に示すように、画像処理装置が、排出トレイとして、多段のメールビン２５を備えている。メールビン２５は、キャビネット１に対して突出した状態に設けられている。図７に示すように、メールビン２５には、延長トレイ２６が設けられ、延長トレイ２６は、収納された閉姿勢と突出した開姿勢とに切り替えられる。許可部は、この延長トレイ２６の姿勢の変化を確認する。トレイ検出器２１は、延長トレイ２６が閉姿勢にあるのか開姿勢にあるのかを検出する。
【００５２】
利用者は、親展印刷を指示するときに、排出先のメールビン２５を指定する。画像処理装置において、利用者は、指定したメールビン２５の延長トレイ２６を閉姿勢から開姿勢にする。トレイ検出器２１は、延長トレイ２６の姿勢の変化を検出する。許可部が、指定された延長トレイの姿勢が変化させられたことを確認すると、親展印刷が実行される。
【００５３】
なお、本発明は、上記実施形態に限定されるものではなく、本発明の範囲内で上記実施形態に多くの修正および変更を加え得ることは勿論である。特定部材を供給トレイとしてもよい。シートカセットの場合、利用者は、閉姿勢にあるシートカセットを一旦開姿勢にしてから閉姿勢にする。カセット検出器の検出信号に基づいて、許可部は、親展印刷に指定された記録シートを収容するシートカセットに対して、上記のような姿勢の変化を確認すると、親展印刷を許可する。
【００５４】
手差しトレイの場合、利用者は、何も載っていない手差しトレイに、親展印刷に指定された記録シートを載置する。これによって、手差しトレイの状態が変化する。シート検出器の検出信号に基づいて、許可部は、記録シートが手差しトレイに載置されたという手差しトレイの状態の変化を確認する。この確認により、許可部は、親展印刷を許可する。
【００５５】
また、特定部材として、記録シートを利用してもよい。利用者が、シートカセットを開いて、記録シートを取り出し、一旦シートカセットを閉じ、再びシートカセットを開いて、記録シートを載置して、シートカセットを閉じる。カセット検出器およびシート検出器により、シートカセットと記録シートの一連の変化が検出される。許可部は、この一連の変化を確認すると、親展印刷を許可する。
【００５６】
開姿勢にある排出トレイを自動的に閉姿勢にする駆動部を設けてもよい。駆動部は、モータ、ギアによって排出トレイを軸周りに回動させる。排出トレイは、開姿勢から閉姿勢に自動的に変化する。親展印刷が行われ、記録シートが排出トレイに排出される。利用者が記録シートを取り出すと、シート検出器が、記録シートのないことを検出する。駆動部が動作して、排出トレイを閉姿勢にする。印刷終了後、自動的に排出トレイはキャビネットに収納されるので、非動作時の画像処理装置をコンパクトにすることができる。なお、メールビンの延長トレイを自動的に収納するようにしてもよい。
【図面の簡単な説明】
【００５７】
【図１】本発明の画像処理装置および情報処理装置の概略制御ブロック図
【図２】画像処理装置の斜視図
【図３】排出トレイが開いた状態の画像処理装置の斜視図
【図４】親展印刷実行時のフローチャート
【図５】複数の排出トレイを備えた画像処理装置の斜視図
【図６】多段のメールビンを備えて画像処理装置の斜視図
【図７】指定されたメールビンが延長した状態の画像処理装置の斜視図
【符号の説明】
【００５８】
２    画像読取部
３    画像形成部
４    記憶部
５    通信部
６    操作パネル
７    制御部
１５    供給トレイ
１６    排出トレイ
１７    シートカセット
１８    手差しトレイ
１９    カセット検出器
２０    シート検出器
２１    トレイ検出器
【図１】
2008149572.tif 000003
【図２】
2008149572.tif 000004
【図３】
2008149572.tif 000005
【図４】
2008149572.tif 000006
【図５】
2008149572.tif 000007
【図６】
2008149572.tif 000008
【図７】
2008149572.tif 000009